(57)【特許請求の範囲】
【請求項１】
高圧側にあってガス供給源と連通する高圧室と、前記高圧室にそれぞれ独立的に連通している第一の連通路及び第二の連通路と、低圧側にあって前記第一の連通路及び第二の連通路にそれぞれ連通していてガス使用先と連通する低圧室とが所定方向にこの順序に並んでおり、
前記高圧室に第一の弁体があり、
前記低圧室に第二の弁体があり、
前記第一の弁体は、非作動時に常に前記所定方向から前記第二の連通路を弾性的に遮蔽する上、前記第二の弁体が前記所定方向と反対方向に押圧されると、前記第二の弁体と共に押されて前記遮蔽が開けられるようになっている圧力制御弁であり、
前記第二の弁体は、少なくとも非作動時に全体が常に前記低圧室にあり、
前記第一の弁体は、その前記第一の連通路の方に向かっている面には、該面から、前記第一の連通路内に入ってから、前記第二の弁体が前記のように押圧されると前記第二の弁体の先端に押されることができる箇所まで延びている上、前記第一の連通路の周壁に対して摺動でき、且つ、摺動面から気体が通れないようにぴったりと嵌め込むようになっている突起と、該突起の根元を回っていて、前記第二の弁体が前記のように押圧されると前記第二の連通路に対する遮断を開き、前記押圧がリリースされて前記第一の弁体が元の位置に弾性的に戻ると前記第二の連通路を再び遮蔽する肩面とが設けてあることを特徴とする圧力制御弁。
【請求項２】
非作動時に常に前記低圧室と大気とを連通させるが、前記第一の弁体の前記突起が前記第二の弁体の先端に押されると、該連通が遮断されるように構成されている大気連通路を更に有していることを特徴とする請求項１に記載の圧力制御弁。
【請求項３】
前記大気連通路は、前記第一の連通路を経由して前記低圧室と連通しており、
前記第一の連通路の周壁と前記第一の弁体の前記突起との間には、気密ユニットが、前記第一の連通路の、前記高圧室及び前記低圧室それぞれへの連通を遮断するように設置されていることを特徴とする請求項２に記載の圧力制御弁。
【請求項４】
前記第二の弁体は、前記のように押圧されるとその先端が前記第一の連通路に挿入してその先端で前記突起を押動し、前記第一の弁体の前記第二の連通路に対する遮蔽を開けることができるように配置構成されていることを特徴とする請求項２または３に記載の圧力制御弁。
【請求項５】
前記ガス供給源と連続するための高圧継ぎ手と、前記高圧室と前記第一の連通路の該高圧室に寄っている部分とを有する高圧段と、前記第一の連通路の前記低圧室に寄っている部分と前記低圧室とを有する低圧段と、前記使用先と連結するための使用先継ぎ手とからなっており、前記第一の連通路は、前記第一の弁体における前記面の中央近くに開口しており、
前記第一の弁体における突起は、前記面の中央近くから延びており、前記第二の連通路は、前記第一の連通路の前記開口の近傍に開口する上、非作動時に常に前記第一の弁体の肩面に遮蔽されるように配置されていることを特徴とする請求項４に記載の圧力制御弁。
【請求項６】
前記第一の弁体と前記高圧継ぎ手との間に第一のバネが前記第一の弁体に前記所定方向への移動を付勢するように介在していて前記第一の弁体を押して非作動時に常に前記第二の連通路を遮蔽することを特徴とする請求項５に記載の圧力制御弁。
【請求項７】
前記使用先継ぎ手は、前記低圧段とねじ付けで連接していてそのねじ付けの調整により前記第二の弁体を押すことができ、
前記大気連通路は、常に前記第一の連通路とも大気とも連通しているベントと、非作動時だけに前記低圧室と前記ベントとを連通させる案内路とを有しており、
前記案内路は、前記第一の弁体の前記突起に設けられ、その一端が前記突起の先端面に開口し、他端が前記突起の周壁に開口する上、非作動時に常に前記低圧室と前記ベントとを連通させるが、前記突起が前記第二の弁体の先端に押されるとその前記突起の先端面にある開口が前記第二の弁体の前記先端に閉じられて前記低圧室と前記ベントとの連通を遮断することができるように設けられており、
それにより、ガス供給源が切り替えられた場合、ガス使用先と接続したままで前記使用先継ぎ手と前記低圧段との間のねじ付けを調整して低圧側の内圧を前記案内路と前記ベントとを経由してリリースすることができることを特徴とする請求項５に記載の圧力制御弁。
【請求項８】
前記第二の弁体は、その前記使用先継ぎ手の方に向かっている面には、該面の中央近くから前記使用先継ぎ手内に延びる上、前記使用先継ぎ手内に摺動することができる管状部を有し、
前記使用先継ぎ手と前記第二の弁体との間に第二のバネが、前記低圧段が前記使用先継ぎ手を前記所定方向と反対方向へ移動させるようにねじ回すと前記第二の弁体を前記高圧室の方へ押し、且つ、前記第二の弁体が前記第一の弁体を押して前記高圧室と前記第二の連通路とを連通させて、前記第二の連通路の前記第一の弁体の前記肩面による遮断を開いた後のガス供給中にガス供給源の圧力と対抗してガス供給圧力を制御することができるように介在していることを特徴とする請求項７に記載の圧力制御弁。
【請求項９】
前記気密ユニットは、前記突起の周壁と前記第一の連通路の周壁との間の、前記案内路の前記他端の開口と前記第一の連通路の両端の開口との間にそれぞれ設けられたシール用のＯリングであることを特徴とする請求項７または請求項８に記載の圧力制御弁。
【発明の詳細な説明】
【技術分野】
【０００１】
本発明は、圧力制御弁に関し、もっと詳しくは、ガス供給源からの高圧ガスを安定的な所定低圧で供給するための圧力制御弁に関する。
【背景技術】
【０００２】
従来の圧力制御弁は、特許文献１に記載されているように、通常、図１に示すように、高圧側にあってガス供給源と連通する高圧室１２０と、高圧室１２０に連通している連通路１３０と、低圧側にあって連通路１３０に連通していてガス使用先と連通する低圧室１４０とが所定方向にこの順序に並んでおり、高圧室１２０に第一の弁体１２１があり、低圧室１４０に第二の弁体１４１があり、また、第一の弁体１２１は、非作動時に常に前記所定方向から連通路１３０を弾性的に遮蔽する上、第二の弁体１４１が所定方向と反対方向に押圧されると、それと共に押されて前記遮蔽を開けられるようになっている。
【０００３】
また、図２を見てみると、前記従来の圧力制御弁における第一の弁体１２１は、全体が高圧室１２０にあるが、第二の弁体１４１は、その連通路１３０の方に向かっている面には、該面の中央近くから前記連通路１３０内に延びていて前記押圧がされると前記連通路１３０を貫通してから前記第一の弁体１２１を押して該第一の弁体１２１の前記連通路１３０に対する遮蔽を開ける突起１４２を有する。
【０００４】
即ち、前記従来の圧力制御弁は、第二の弁体１４１への押圧により、ガス供給源からの高圧ガスをガス使用先へ供給することができる。
【０００５】
しかしながら、図２に示すように、この従来技術の高圧側にある第一の弁体１２１は、バネによる押圧のみがあり、他になんの支持もないので、安定ではなく、正当位置からずれてガスが本来過圧の際においてのみ働くべき案内路１４３及びベント１４４を経由して大気に漏れる虞れがあり、ガスが燃料ガスである場合、安全問題を来たし、ガスが工作空気である場合、使用先への工作圧力の供給を下げる、などの欠点がある。
【先行技術文献】
【特許文献】
【０００６】
【特許文献１】特開２００５−３１６９８８号公報
【発明の概要】
【発明が解決しようとする課題】
【０００７】
本発明は、上記問題点に鑑みてなされたものであり、その高圧側にある第一の弁体が安定に支持され、使用中もいつも正当位置からずれにくい圧力制御弁を提供することを目的とする。
【課題を解決するための手段】
【０００８】
本発明によれば、高圧側にあってガス供給源と連通する高圧室と、前記高圧室に連通している連通路と、低圧側にあって前記連通路に連通していてガス使用先と連通する低圧室とが所定方向にこの順序に並んでおり、前記高圧室に第一の弁体があり、前記低圧室に第二の弁体があり、前記第一の弁体は、非作動時に常に前記所定方向から前記連通路を弾性的に遮蔽する上、前記第二の弁体が前記所定方向と反対方向に押圧されると、それと共に押されて前記遮蔽を開けられるようになっている圧力制御弁において、前記第二の弁体は、全体が非作動時に常に前記低圧室にあり、前記第一の弁体は、その前記連通路の方に向かっている面には、該面から、前記連通路内に入ってから、前記第二の弁体が前記のように押圧されると前記第二の弁体の先端に押されることができる箇所まで延び続ける上、前記連通路の周壁と動き嵌めになっている突起が設けてある圧力制御弁が提供される。
【０００９】
その実施形態として、高圧側にあってガス供給源と連通する高圧室と、前記高圧室に連通している連通路と、低圧側にあって前記連通路に連通していてガス使用先と連通する低圧室とが所定方向にこの順序に並んでおり、前記高圧室に第一の弁体があり、前記低圧室に第二の弁体があり、前記第一の弁体は、非作動時に常に前記所定方向から前記連通路を弾性的に遮蔽する上、前記第二の弁体が前記所定方向と反対方向に押圧されると、それと共に押されて前記遮蔽を開けられるようになっている圧力制御弁において、前記連通路は、第一の連通路と第二の連通路とを有しており、前記第二の弁体は、全体が少なくとも非作動時に常に前記低圧室にあり、前記第一の弁体は、その前記連通路の方に向かっている面には、該面から、前記第一の連通路内に入ってから、前記第二の弁体が前記のように押圧されると前記第二の弁体の先端に押されることができる箇所まで延び続ける上、前記第一の連通路の周壁と動き嵌めになっている突起と、該突起の根元を回っていて前記押圧がリリースされて前記第一の弁体が元の位置に弾性的に戻ると前記第二の連通路を再び遮蔽する肩面とが設けてある圧力制御弁が挙げられる。
【発明の効果】
【００１０】
本発明は、圧力制御弁の第一の弁体を、連通路、特に第一の連通路内に延びて第一の連通路の周壁と動き嵌めになる突起を有する構成にし、第一の弁体を、第一の連通路の周壁での支持により安定にさせるので、従来の欠点がない圧力制御弁を構成することができる。
【図面の簡単な説明】
【００１１】
【図１】従来の圧力制御弁がガス供給をしていない非作動時の断面図である。
【図２】従来の圧力制御弁がガス供給をしている作動時の断面図である。
【図３】本実施例の圧力制御弁がガス供給をしていない非作動時の断面図である。
【図４】本実施例の圧力制御弁がガス供給をしている作動時の断面図である。
【発明を実施するための形態】
【００１２】
以下、図３及び図４を参照しながら本発明の圧力制御弁の実施例を説明する。
【実施例】
【００１３】
図３は、本実施例の圧力制御弁がガス供給をしていない非作動時の断面図であり、図４は、前記圧力制御弁がガス供給をしている作動時の断面図である。
【００１４】
本実施例の圧力制御弁は、図３に示すように、高圧側にあってガス供給源（図示せず）と連通する高圧室２００と、高圧室２００に連通している連通路３００と、低圧側にあって連通路３００に連通していてガス使用先（図示せず）と連通する低圧室４００とが所定方向（図示では右の方から左の方へ）にこの順序に並んでおり、高圧室２００に第一の弁体２１０があり、低圧室４００に第二の弁体４１０があり、また、第一の弁体２１０は、非作動時に常に所定方向から連通路３００を弾性的に遮蔽する上、第二の弁体４１０が前記所定方向と反対方向（図示では左の方から右の方へ）に押圧されると、それと共に押されて前記遮蔽を開けられるようになっている（図４参照）。
【００１５】
即ち、本実施例の圧力制御弁は、従来の圧力制御弁と同じように、第二の弁体４１０への押圧で、第一の弁体２１０を押し、本来第一の弁体２１０により遮蔽された高圧側と低圧側とを連通させ、ガス供給源からの高圧ガスをガス使用先へ供給することができる。
【００１６】
この実施例の圧力制御弁における連通路３００は、図示のように、第一及び第二の連通路３０１，３０２を有し、二つとも前記所定方向を沿って高圧室２００と低圧室４００とを連通しているが、第一の連通路３０１は、該圧力制御弁の横断面の中央近くを通っており、第二の連通路３０２は、第一の連通路３０１の近傍に配置されている。
【００１７】
また、第二の弁体４１０は、全体が非作動時に常に低圧室４００にある上、前記のように押圧されるとその先端４１１が第一の連通路３０１に挿入することができるように配置構成されている。
【００１８】
第一の弁体２１０は、その第一の連通路３０１の方に向かっている面には、該面の中央近くから第一の連通路３０１内に延びている突起２１１と、該突起２１１の根元を回っている肩面２１２とが設けられている。
【００１９】
図３及び図４を比較するとわかるように、突起２１１は、第二の弁体４１０が前記のように押圧されると第二の弁体４１０の第一の連通路３０１に挿入する先端４１１に押動されるように形成されており、肩面２１２は、前記押圧がリリースされて第一の弁体２１０が元の位置に弾性的に戻ると連通路３００を再び遮蔽するように形成されている。
【００２０】
前記構成により、本実施例の圧力制御弁における第一の弁体２１０は、第一の連通路３０１の周壁で突起２１１を支持することにより良好に支持されるので、従来の圧力制御弁における第一の弁体より安定に支持され、使用中もいつも正当位置からずれにくいものに構成される。
【００２１】
この実施例における実際の構成を詳しく説明すると、やはり図３及び図４を参照するように、この実施例の圧力制御弁は、ガス供給源（図示せず）と連結するための高圧継ぎ手５０と、高圧室２００と連通路３００の該高圧室２００に寄っている部分とを有する高圧段２０と、連通路３００の低圧室４００に寄っている部分と低圧室４００とを有する低圧段４０と、使用先（図示せず）と連結するための使用先継ぎ手６０とからなっている。
【００２２】
そして、図３をよく見てみると、第二の連通路３０２は、その高圧室２００の方に向かっている開口が非作動時に常に第一の弁体２１０の肩面２１２によって遮蔽されていて、高圧室２００との連通が遮蔽される。第一の弁体２１０の突起２１１は、気密ユニットで第一の連通路３０１と気密的な動き嵌めになっている。
【００２３】
もっと詳しくは、第一の弁体２１０の突起２１１は、第一の連通路３０１内に、摺動でき、且つ、摺動面から気体が通れないようにぴったりと嵌め込むように配置構成される上、突起２１１の周壁と第一の連通路３０１の周壁との間に、気密ユニットとしてシール用のOリング３２が設けられている。
【００２４】
前記構成により、第一の弁体２１０は、非作動時に常に所定方向から連通路３００を遮蔽する上、第二の弁体４１０が所定方向と反対方向に押圧されると、それと共に押されて前記遮蔽を開けられるようになっている（図４参照）。
【００２５】
さらに、第一の弁体２１０と高圧継ぎ手５０との間に第一のバネ５１が第一の弁体２１０に前記所定方向への移動を付勢するように介在している。
【００２６】
図示のように、第一のバネ５１は、コイルバネであり、その一端が第一の弁体２１０に、他端が高圧継ぎ手５０に連接され、第一の弁体２１０に右から左への移動を付勢し、第一の弁体２１０を非作動時に常に連通路３００を弾性的に遮蔽するようにさせている。
【００２７】
そして、使用先継ぎ手６０は、低圧段４０とねじ付けで連接しているので、そのねじ付けの調整により第二の弁体４１０を押すことができる。
【００２８】
また、本実施例の圧力制御弁は、非作動時に常に第一の連通路３０１を経由して低圧室４００と大気とを連通させるが、第一の弁体２１０の突起２１１が第二の弁体４１０の先端４１１に押されると、低圧室４００と大気との連通が遮断される大気連通路３１０を更に有している。
【００２９】
大気連通路３１０は、常に第一の連通路３０１とも大気とも連通しているベント３１１と、非作動時だけ低圧室４００とベント３１１とを連通させる案内路３１２とからなっている。
【００３０】
図示のように、ベント３１１は、低圧段４０に設けてあり、案内路３１２は、第一の弁体２１０の突起２１１内の開口部に設けられ、その一端が突起２１１の先端面に開口し、他端が突起２１１の周壁に開口し、非作動時に常に低圧室４００とベント３１１とを連通させるが、突起２１１が第二の弁体４１０の先端４１１に押されるとその突起２１１の先端面にある開口３１２ａ（図４参照）が第二の弁体４１０の先端４１１に閉じられて低圧室４００とベント３１１との連通を遮断することができるように設けられている。
【００３１】
ちなみに、図示のように、前記突起２１１の周壁と第一の連通路３０１の周壁との間のOリング３２は、案内路３１２の他端開口３１２ｂ（図４参照）と連通路３００の両端の開口との間にそれぞれ一つ配置されているので、第一の連通路３０１の、前記高圧室２００及び前記低圧室４００それぞれへの連通が遮断されている。
【００３２】
前記構成により、この実施例の圧力制御弁は、使用先継ぎ手６０と低圧段４０とのねじ付けを調整することで、突起２１１が第二の弁体４１０の先端４１１に押されると、ガス供給源からの高圧ガスを高圧室２００、第二の連通路３１０及び低圧室４００を通して、ガス使用先へ供給できるようになり、また、突起２１１が第二の弁体４１０の先端４１１から離れると、肩面２１２により高圧室２００と第二の連通路３０２との連通が遮断されるとともに、低圧室４００とベント３１１が連通となり、低圧室４００が大気につながるようになる。
【００３３】
それにより、ガス供給源が切り替えられた場合、使用先継ぎ手６０をガス使用先と接続したままで使用先継ぎ手６０と低圧段４０との間のねじ付けを調整して低圧側の内圧を案内路３１２とベント３１１とを経由してリリースすることができる。
【００３４】
そして、第二の弁体４１０は、その使用先継ぎ手６０の方に向かっている面には、管状部４１２をさらに有する。
【００３５】
管状部４１２は、該面の中央近くから使用先継ぎ手６０内に延びるとともに、使用先継ぎ手６０内に摺動することができるようになっている。
【００３６】
また、使用先継ぎ手６０と第二の弁体４１０との間に第二のバネ６１が介在している。第二のバネ６１は、図示のように、第一のバネ５１と同じくコイルバネであり、その渦巻きで管状部４１２を囲む上、その一端が第二の弁体４１０に、他端が使用先継ぎ手６０に連接されていて、使用先継ぎ手６０の移動に応じて第二の弁体４１０を前記所定方向と反対方向に押すことができるようになっている。
【００３７】
即ち、第二のバネ６１は、低圧段４０が使用先継ぎ手６０を前記所定方向と反対方向へ移動させるようにねじ回されると、第二の弁体４１０を高圧室２００の方へ押し、且つ、第二の弁体４１０が第一の弁体２１０を押して、第二の連通路３０２と高圧室２００とを連通して、第二の連通路３０２の第一の弁体２１０の肩面２１２による遮断を開いた後のガス供給中にガス供給源の圧力と対抗してガス供給圧力を制御することができるようになっている。
【産業上の利用可能性】
【００３８】
以上説明したように、本発明の圧力制御弁は、圧力制御弁の第一の弁体を、第一の連通路内に延びて第一の連通路の周壁と動き嵌めになる突起を有する構成にすることにより、第一の弁体を安定化するので、第一の弁体が位置ずれしにくくなり、ガス漏れの虞れがないので、釘打ち機やタッカ、エアダスター等のツールの圧縮空気供給に広く使用され得る。
【００３９】
そして、本発明の圧力制御弁では、ガス供給源が切り替えられた場合、ガス使用先と接続したままで使用先継ぎ手６０と低圧段４０との間のねじ付けを調整して低圧側の内圧を案内路３１２とベント３１１とを経由してリリースすることができるから、作業の利便性や安全性はかなり上がる。
【符号の説明】
【００４０】
２０  高圧段
２００  高圧室
２１０  第一の弁体
２１１  突起
２１２  肩部
３００  連通路
３０１  第一の連通路
３０２  第二の連通路
３１０  大気連通路
３１１  ベント
３２  Oリング
４０  低圧段
４００  低圧室
４１０  第二の弁体
４１１  先端
４１２  管状部
５０  高圧継ぎ手
５１  第一のバネ
６０  使用先継ぎ手
６１  第二のバネ
３１２  案内路
３１２ａ  案内路の開口
３１２ｂ  案内路の他端開口
【図１】
0005086289.tif 000002
【図２】
0005086289.tif 000003
【図３】
0005086289.tif 000004
【図４】
0005086289.tif 000005